(57)【特許請求の範囲】
【請求項１】
床構造の改修方法であって、
床構造の壁際部分の床板部を撤去する第１ステップと、
壁際部分の床板部を支持していた非防振構造の床支持部を防振構造の床支持部に変更する第２ステップと、
防振構造の床支持部により支持された壁際部分の新たな床板部を形成する第３ステップとを備えたことを特徴とする床構造の改修方法。
【請求項２】
防振構造の床支持部は、壁際部分の新たな床板部における壁側の端部を支持する防振際根太と、端面同士が互いに向かい合う壁際部分の新たな床板部の端部と残置の床板部の端部とを支持する防振支持脚とを備えた構成としたことを特徴とする請求項１に記載の床構造の改修方法。
【請求項３】
防振際根太は、壁際部分の新たな床板部の壁側の端部を支持する際根太と、当該際根太を支持する束と、当該束と床スラブとの間に設けられたゴムとを備えた構成としたことを特徴とする請求項２に記載の床構造の改修方法。
【請求項４】
防振構造の床支持部は、壁際部分の新たな床板部における壁側の端部を支持する防振際根太と、端面同士が向かい合う壁際部分の新たな床板部の端部と残置の床板部の端部とを支持する防振支持脚とを備えた構成であり、
当該防振構造の床支持部及び新たな床板部と壁際部分の床板部を支持していた残置の非防振構造の床支持部との縁を切る構成としたことを特徴とする請求項１に記載の床構造の改修方法。
【請求項５】
防振際根太は、壁際部分の新たな床板部の壁側の端部を支持する際根太部と、当該際根太部を支持する支柱と、当該支柱の下端に設けられて床スラブに設置されるゴムとを備えた構成としたことを特徴とする請求項２又は請求項４に記載の床構造の改修方法。
【発明の詳細な説明】
【技術分野】
【０００１】
本発明は、床構造の改修方法、特に壁際の床構造を部分的に改修する方法に関する。
【背景技術】
【０００２】
部屋の中央側においては、床板部の下に所定の間隔で防振ゴム付きの防振支持脚を配置して床板部を支持するようにし、躯体壁，間仕切り壁などの壁際においては、いわゆる際根太及び当該際根太を支持する束を有した床支持部により床板部を支持するように構成された乾式二重床と呼ばれる床構造が知られている（例えば、特許文献１等参照）。
しかしながら、上述した際根太及び束により構成された床支持部のような非防振構造の床支持部で壁際部分の床板部を支持する構成の床構造では、床板部に衝撃が加わるとその振動が際根太、束、床スラブを介して階下に伝搬してしまうため、防音性能に課題がある。
そこで、壁際の床板部を防振ゴム付きの際根太で支持する構成の床構造とすることにより、防音性能に優れた床構造とすることが知られている（例えば、特許文献１等参照）。
【先行技術文献】
【特許文献】
【０００３】
【特許文献１】特開２０００−１０４３９３号公報
【発明の概要】
【発明が解決しようとする課題】
【０００４】
従来、壁際の床板部を際根太及び束により構成された床支持部のような非防振構造の床支持部で支持する構成の床構造を、壁際の床板部を防振ゴム付きの際根太装置で構成された床支持部のような防振構造の床支持部で支持する構成の床構造に変更する場合、床構造の床板部を全て撤去した後、際根太及び束により構成された非防振構造の床支持部を防振ゴム付きの際根太で構成された防振構造の床支持部に変更し、その後、新しい床板部を床支持部に取付けるようにしていた。
しかしながら、上述のように床構造を変更するためには、床構造の床板部を全て撤去しなければならず、また、床構造の床板部を全て撤去するためには、部屋の床上に設置されていた家具等の重量物を別の部屋や別に場所に移動させる必要がある等、工事にかかる費用や期間の面での課題があった。
本発明は、壁際の床板部が非防振構造の床支持部により支持された構成の床構造を、安価かつ容易に、防音性能に優れた床構造に改修できるようにした床構造の改修方法を提供するものである。
【課題を解決するための手段】
【０００５】
本発明に係る床構造の改修方法は、床構造の壁際部分の床板部を撤去する第１ステップと、壁際部分の床板部を支持していた非防振構造の床支持部を防振構造の床支持部に変更する第２ステップと、防振構造の床支持部により支持された壁際部分の新たな床板部を形成する第３ステップとを備えた。
また、防振構造の床支持部は、壁際部分の新たな床板部における壁側の端部を支持する防振際根太と、端面同士が互いに向かい合う壁際部分の新たな床板部の端部と残置の床板部の端部とを支持する防振支持脚とを備えた構成とした。
また、防振際根太は、壁際部分の新たな床板部の壁側の端部を支持する際根太と、当該際根太を支持する束と、当該束と床スラブとの間に設けられたゴムとを備えた構成とした。
また、防振構造の床支持部は、壁際部分の新たな床板部における壁側の端部を支持する防振際根太と、端面同士が向かい合う壁際部分の新たな床板部の端部と残置の床板部の端部とを支持する防振支持脚とを備えた構成であり、当該防振構造の床支持部及び新たな床板部と壁際部分の床板部を支持していた残置の非防振構造の床支持部との縁を切る構成とした。
また、防振際根太は、壁際部分の新たな床板部の壁側の端部を支持する際根太部と、当該際根太部を支持する支柱と、当該支柱の下端に設けられて床スラブに設置されるゴムとを備えた構成とした。
以上のような本発明に係る床構造の改修方法によれば、壁際の床板部が非防振構造の床支持部により支持された構成の床構造を、安価かつ容易に、防音性能に優れた床構造に改修できるようになる。
【図面の簡単な説明】
【０００６】
【図１】床構造の改修方法の工程手順を示す図（実施形態１）。
【図２】防振構造の際根太の一例を示す図（実施形態２，３）。
【図３】床構造の改修方法の工程手順を示す図（実施形態２）。
【図４】床構造の改修方法の工程手順を示す図（実施形態３）。
【発明を実施するための形態】
【０００７】
実施形態１
実施形態１に係る床構造の改修方法は、図１に示すように、床構造Ｂの壁際部分の床板部２を撤去する第１ステップと、壁際部分の床板部２を支持していた非防振構造の床支持部５を防振構造の床支持部５Ａに変更する第２ステップと、防振構造の床支持部５Ａにより支持された壁際部分の新たな床板部２Ａを形成する第３ステップと、を備え、防振構造の床支持部５Ａは、壁際部分の新たな床板部２Ａにおける壁１側の端部を支持する防振際根太３Ａと、端面同士が互いに向かい合う壁際部分の新たな床板部２Ａの端部と残置の床板部２の端部とを支持する防振支持脚９とを備えた構成とし、防振際根太３Ａは、壁際部分の新たな床板部２Ａの壁１側の端部を支持する際根太３と、当該際根太３を支持する束４Ａと、当該束４Ａと床スラブ６との間に設けられたゴム８とを備えた構成とした。
【０００８】
図１（ａ）に示すように、床構造Ｂは、部屋の躯体壁，間仕切り壁など壁１に近い壁際部分の床板部２が、壁１に沿って配置された際根太３及び当該際根太３を支持する束４を有した非防振構造の床支持部５により支持され、かつ、部屋の中央側においては、床板部２の下に所定の間隔で防振ゴム付きの防振支持脚９を配置して当該床板部２を支持するように構成された乾式二重床と呼ばれる床構造である。
当該床構造Ｂでは、束４は、所定の間隔を隔てて配置され、例えば、ウレタン系接着剤等により床スラブ６のスラブ面に固定されている。そして、際根太３が束４に固定されて束４で支持され、際根太３の上面に床板部２が取付けられている。
当該床板部２は、例えば、パーティクルボード等の下地板部２１と、フローリング等の床仕上げ部２２とを備えて構成される。
【０００９】
実施形態１では、まず、壁１に取付けられていた巾木７を撤去するとともに、壁１から所定距離Ｈだけ離れた所定位置において、床板部２（下地板部２１及び床仕上げ部２２）を切断して撤去する。例えば、壁１から２００ｍｍ〜３００ｍｍ離れた所定位置において床板部２を切断し、当該切断した壁際部分の床板部２を撤去する。さらに、際根太３及び束４を撤去する（図１（ａ），（ｂ）参照）。
【００１０】
そして、束４が配置される床スラブ６のスラブ面にゴム８を固定する。そして、ゴム８の厚さに相当する長さ分だけ束４の下部を切断して束４の高さを短くし、当該高さを短くした束４Ａをゴム８の上面に固定する。束４Ａと床スラブ６との間にゴム（防振ゴム）８が介在するように、複数の束４Ａを床スラブ６のスラブ面に所定の間隔を隔てて配置した後、当該複数の束４Ａの上に際根太３を配置して当該際根太３を束４Ａに固定することで、壁際部分の新たな床板部２Ａの壁１側の端部を支持する防振ゴム付きの防振際根太３Ａを形成する（図１（ｃ）参照）。防振際根太３Ａの束４Ａ及び際根太３は、壁１から離して配置する。
尚、当該束４Ａ及び際根太３は、元の古いものを再利用してもよいし、新しいものを用いてもよい。
【００１１】
ゴム８は、床スラブ６のスラブ面に設置される面が凹凸面に形成された板状のゴムを用いれば、床スラブ６の不陸を吸収できて、好ましい。
【００１２】
次に、床板部２（下地板部２１及び床仕上げ部２２）が切断された位置の下方に防振支持脚９を新規に配置する（図１（ｃ）参照）。
防振支持脚９は、床スラブ６上に設置される防振ゴム９ａと、下部が防振ゴム９ａに取付けられて防振ゴム９ａに支持される例えば金属製や樹脂製等の支柱９ｂと、支柱９ｂの上端部に設けられた台座９ｃとを備える（図１（ｃ）参照）。支柱９ｂの上部の外周面は図外の雄ねじ部に形成される。
台座９ｃは、例えばパーティクルボードや構造用合板等で形成される。台座９ｃは、台座９ｃの上下面に貫通する図外の貫通孔を備え、この貫通孔内には当該貫通孔を上下に貫通する金属製の筒９ｄが固定され、この金属製の筒９ｄの内周面は図外の雌ねじ部に形成される。
つまり、防振支持脚９は、支柱９ｂの上部の外周面に形成された雄ねじ部の雄ねじと金属製の筒９ｄの内周面に形成された雌ねじ部の雌ねじとのねじ嵌合により、台座９ｃが支柱９ｂに対して上下に移動可能に構成され、台座９ｃのレベル（高さ）を調整可能なように構成されている。
【００１３】
そして、撤去した壁際部分の下地板部２１の代わりとなる壁際部分の下地板部２１Ａを新たに製作し、当該壁際部分の新しい下地板部２１Ａを、床板部２が切断された位置の下方に配置された防振支持脚９の台座９ｃの上面と防振際根太３Ａの際根太３の上面とに跨って掛け渡されるように配置して、当該壁際部分の新しい下地板部２１Ａを防振支持脚９の台座９ｃの上面と際根太３の上面とに取付けることにより、壁際部分の下地板部２１Ａを新設する（図１（ｃ）参照）。
尚、壁際部分の新たな下地板部２１Ａの壁側の端面２１ＡＳ（一方の端面）と壁１との間には、数ｍｍ程度の隙間を設け、かつ、切断後残した残置の下地板部２１の切断端面２１Ｓと当該切断端面２１Ｓに対向する新たな下地板部２１Ａの端面２１ＡＴ（他方の端面）との間には、数ｍｍ〜数十ｍｍ程度の隙間（目地）を設ける（図１（ｃ）参照）。
【００１４】
そして、新設された壁際部分の下地板部２１Ａの上に壁際部分の新たな床仕上げ部２２Ａを設けて壁際部分の新たな床板部２Ａを形成することによって、壁際部分の新たな床板部２Ａにおける壁１側の端部を支持する防振際根太３Ａと、端面同士が互いに向かい合う壁際部分の新たな床板部２Ａの端部と残置の床板部２の端部とを支持する防振支持脚９とを備えた防振構造の床支持部５Ａにより壁際部分の新たな床板部２Ａを支持した構成の床構造Ａに改修する。即ち、非防振構造の床支持部５により壁際部分の床板部２を支持していた床構造Ｂを、防振構造の床支持部５Ａにより壁際部分の新たな床板部２Ａを支持した構成の床構造Ａに改修する（図１（ｄ）参照）。さらに、巾木７Ａを新設する（図１（ｄ）参照）。
【００１５】
尚、壁際部分の新たな床仕上げ部２２Ａの壁側の端面２２ＡＳと壁１との間には、数ｍｍ程度の隙間を設け、かつ、切断後残した残置の床仕上げ部２２の切断端面２２Ｓと当該切断端面２２Ｓに対向する新たな床仕上げ部２２Ａの端面２２ＡＴとが互いに突き合わされた状態となるように、当該壁際部分の新たな床仕上げ部２２Ａを設ける。
また、新設する巾木７Ａと壁際部分の新たな床板部２Ａとの間には、数ｍｍ程度の隙間を設け、当該巾木７Ａと壁際部分の新たな床板部２Ａとが接触しないように構成する（図１（ｄ）参照）。
以上によれば、防振際根太３Ａと防振支持脚９とで構成された防振構造の床支持部５Ａによって支持された壁際部分の新たな床板部２Ａが上下動したとしても、当該床板部２Ａが壁１及び巾木７Ａと接触しないように構成されているので、床板部２Ａと壁１や巾木７Ａとの接触音の発生が防止される。
【００１６】
このように改修された床構造Ａによれば、際根太３を支持する束４Ａと床スラブ６との間にゴム８が設けられたので、防音性能に優れた床構造Ａとなる。
即ち、実施形態１にかかる床構造の改修方法によれば、床構造Ｂの壁際部分の床板部２、際根太３、束４を撤去して、束４の長さを調整した束４Ａと床スラブ６との間にゴム８を設ければよいので、改修対象の部屋において、部屋の壁際に設置されていた家具等の重量物を当該部屋の中央側に移動させて改修工事を行えるようになり、かつ、材料費を削減できるようになるため、壁際部分の床板部２が際根太３及び束４により構成された非防振構造の床支持部５により支持された構成の床構造Ｂを、安価かつ容易に、防音性能に優れた床構造Ａに改修できるようになる。
【００１７】
実施形態２
実施形態１に係る床構造の改修方法では、防振際根太３Ａは、際根太３と、当該際根太３を支持する束４Ａと、当該束４と床スラブ６との間に設けられたゴム８とを備えた構成の防振際根太３Ａを用いた例を示したが、当該防振際根太３Ａの代わりに、図２に示すような、壁際部分の新たな床板部２Ａの壁１側の端部を支持する際根太部３１と、当該際根太部３１を支持する支柱３４と、当該支柱３４の下端に設けられて床スラブ６に設置されるゴム３５とを備えた構成の防振際根太３０を使用してもよい。
【００１８】
図２に示すように、防振際根太３０は、所定長さの長尺支持部材としての際根太部３１を有し、際根太部３１の両端側が支持具３２，３２で支持された構成のものである。
支持具３２は、際根太部３１の上下面間に延長して設けられたナット部３３と、ナット部３３が螺着されてナット部３３を上下に移動可能とする支柱３４と、支柱３４の下端側がはめ込まれて支柱３４に伝わる振動を吸収するゴム（防振ゴム）３５とを具備して構成される。
【００１９】
防振際根太３０を使用する実施形態２に係る床構造の改修方法は、図３に示すように、床構造Ｂの壁際部分の床板部２を撤去する第１ステップと、壁際部分の床板部２を支持していた非防振構造の床支持部５を防振構造の床支持部５Ｂに変更する第２ステップと、防振構造の床支持部５Ｂにより支持された壁際部分の新たな床板部２Ａを形成する第３ステップと、を備え、防振構造の床支持部５Ｂは、壁際部分の新たな床板部２Ａにおける壁１側の端部を支持する防振際根太３０と、端面同士が互いに向かい合う新たな床板部２Ａの端部と残置の床板部２の端部とを支持する防振支持脚９とを備えた構成とし、防振際根太３０は、壁際部分の新たな床板部２Ａの壁１側の端部を支持する際根太部３１と、当該際根太部３１を支持する支柱３４と、当該支柱３４の下端に設けられて床スラブ６に設置されるゴム３５とを備えた構成とした。
【００２０】
即ち、実施形態２では、実施形態１と同じように、まず、壁１に取付けられていた既存の巾木７を撤去するとともに、壁１から所定距離Ｈだけ離れた所定位置において、床板部２（下地板部２１及び床仕上げ部２２）を切断して撤去する。さらに、際根太３及び束４を撤去する（図３（ａ），（ｂ）参照）。
次に、床板部２（下地板部２１及び床仕上げ部２２）が切断された位置の下方に防振支持脚９を新たに配置するとともに、壁際の床スラブ６上に防振際根太３０を配置する（図３（ｃ）参照）。
そして、撤去した壁際部分の下地板部２１の代わりとなる壁際部分の下地板部２１Ａを新たに製作し、当該壁際部分の新しい下地板部２１Ａを、床板部２が切断された位置の下方に配置された防振支持脚９の台座９ｃの上面と防振際根太３０の際根太部３１の上面とに跨って掛け渡されるように配置して、当該壁際部分の新しい下地板部２１Ａを防振支持脚９の台座９ｃの上面と際根太部３１の上面とに取付けることにより、壁際部分の下地板部２１Ａを新設する（図３（ｃ）参照）。
さらに、新設された壁際部分の下地板部２１Ａの上に壁際部分の新たな床仕上げ部２２Ａを設けて壁際部分の新たな床板部２Ａを形成することによって、壁際部分の新たな床板部２Ａにおける壁１側の端部を支持する防振際根太３０と、端面同士が互いに向かい合う壁際部分の新たな床板部２Ａの端部と残置の床板部２の端部とを支持する防振支持脚９とを備えた防振構造の床支持部５Ｂにより壁際部分の新たな床板部２Ａを支持した構成の床構造Ａに改修し、最後に、巾木７Ａを新設する（図３（ｄ）参照）。
尚、実施形態１と同様に、切断後残した残置の下地板部２１の切断端面２１Ｓと新たな下地板部２１Ａの端面２１ＡＴ（他方の端面）との間には隙間（目地）を設けるとともに、切断後残した残置の床仕上げ部２２の切断端面２２Ｓと新たな床仕上げ部２２Ａの端面２２ＡＴとが互いに突き合わされた状態となるようにし、かつ、新たな床板部２Ａと巾木７Ａと壁１との間には隙間を設ける（図３（ｃ），（ｄ）参照）。
【００２１】
実施形態２にかかる床構造の改修方法によれば、床構造Ｂの壁際部分の床板部２、際根太３、束４を撤去して、新設された防振際根太３０と防振支持脚９とで構成された防振構造の床支持部５Ｂで壁際部分の新たな床板部２Ａを支持する構成としたので、改修対象の部屋において、部屋の壁際に設置されていた家具等の重量物を当該部屋の中央側に移動させて改修工事を行えるようになり、かつ、材料費を削減できるようになるため、壁際部分の床板部２が際根太３及び束４により構成された非防振構造の床支持部５により支持された構成の床構造Ｂを、安価かつ容易に、防音性能に優れた床構造Ａに改修できる。
【００２２】
実施形態３
実施形態１に係る床構造の改修方法では、際根太３を支持していた束４を防振構造に変更する例、実施形態２に係る床構造の改修方法では、際根太３及び束４を防振際根太３０に変更する例を示したが、既存の非防振構造の床支持部５を構成していた際根太３及び束４をそのまま残して、壁際の床板部２、及び、巾木７を撤去し、そして、新規に防振構造の床支持部５Ｂを設け、かつ、当該新規に防振構造の床支持部５Ｂに壁際分部の新たな床板部２Ａを取付けるとともに、当該床板部２Ａと残置の非防振構造の床支持部５との縁を切る構成とするようにしてもよい。
即ち、図４に示すように、壁１に取付けられていた既存の巾木７を撤去するとともに、壁１から所定距離Ｈだけ離れた所定位置において、床板部２（下地板部２１及び床仕上げ部２２）を切断して撤去するが、際根太３及び束４により構成された非防振構造の床支持部５をそのまま残しておく（図４（ｂ）参照）。次に、新たな床板部２Ａにおける壁１側の端部を支持する防振際根太３０と、端面同士が向かい合う新たな床板部２Ａの端部と残置の床板部２の端部とを支持する防振支持脚９とを備えた防振構造の床支持部５Ｂを形成し、当該防振構造の床支持部５Ｂ及び壁際部分の新たな床板部２Ａと壁際部分の床板部２を支持していた残置の非防振構造の床支持部５との縁を切る構成（図４（ｃ），（ｄ）参照）となるように改修する。
尚、実施形態１と同様に、切断後残した残置の下地板部２１の切断端面２１Ｓと新たな下地板部２１Ａの端面２１ＡＴ（他方の端面）との間には隙間（目地）を設けるとともに、切断後残した残置の床仕上げ部２２の切断端面２２Ｓと新たな床仕上げ部２２Ａの端面２２ＡＴとが互いに突き合わされた状態となるようにし、かつ、新たな床板部２Ａと巾木７Ａと壁１との間には隙間を設ける（図４（ｃ），（ｄ）参照）。
【００２３】
実施形態３によれば、壁際部分の床板部２を支持していた古い非防振構造の床支持部５を撤去する撤去作業を行わないため、当該撤去作業にかかる人件費や期間を削減できるようになり、また、改修対象の部屋において、部屋の壁際に設置されていた家具等の重量物を当該部屋の中央側に移動させて改修工事を行えるようになり、かつ、材料費を削減できるようになるため、安価かつ容易に、防音性能に優れた床構造に改修できるようになる。
【００２４】
尚、図１，図３，図４においては、壁１として躯体壁を図示したが、壁１が間仕切り壁であっても同様に本発明を適用できる。
また、実施形態では、床板部は、パーティクルボードによる下地板部と、当該パーティクルボードの上に設けられたフローリングによる床仕上げ部とを備えて構成された床板部を例示したが、下地板部がパーティクルボードとその他の部材とが組み合わされて構成され、かつ、床仕上げ部がフローリングあるいはフリーリング以外の床仕上げ材（コルクシート、カーペット、石、タイル等）で構成された床板部であっても、本発明による床構造の改修方法を適用できる。
例えば、下地板部がパーティクルボードと当該パーティクルボードの上に設けられた合板や繊維入りせっこうボード等の補強板とにより構成された床板部、あるいは、下地板部がパーティクルボードと当該パーティクルボードの上に設けられた合板や繊維入りせっこうボード等の補強板と当該補強板の上に設けられた床暖房シート等の床暖房装置とにより構成された床板部であっても、本発明による床構造の改修方法を適用できる。
【符号の説明】
【００２５】
１  壁、２  残置の床板部、２Ａ  壁際部分の新たな床板部、３  際根太、
３Ａ  防振際根太、４Ａ  束、５  非防振構造の床支持部、
５Ａ，５Ｂ  防振構造の床支持部、６  床スラブ、８  ゴム、９  防振支持脚、
２１ＡＴ，２１Ｓ，２２ＡＴ，２２Ｓ  端面、３０  防振際根太、３１  際根太部、
３４  支柱、３５  ゴム、Ａ，Ｂ  床構造。
【図１】
0006599277.tif 000002
【図２】
0006599277.tif 000003
【図３】
0006599277.tif 000004
【図４】
0006599277.tif 000005